(57)【要約】【課題】グリル皿を支持する皿受け枠を前後方向に移動自在に支持するガイドレールを備えるグリルにおいて、グリル庫への皿受け枠の収納途中から引込み機構により自動的に皿受け枠を引込むことができるようにして商品性を向上させる。【解決手段】グリル庫の底部に前後方向に揺動自在に配置した揺動アーム４９１と、揺動アームの可動端に立設した、皿受け枠の後枠部４５３２に係合可能な係合子４９２と、揺動アームを前方と後方の各揺動端位置に死点越え動作で揺動付勢するばね４９５とから成る引込み機構４９を設ける。後枠部４５３２に、前方の揺動端位置における係合子の横方向位置に合致させて、係合子が通過可能な切欠き４５３７を設けると共に、切欠きの前方に位置させて、前方の揺動端位置に存する揺動アームを係合子を介して死点位置まで押動可能な押し部４５３８を設ける。【選択図】図１０
2008092975.tif 000002
【特許請求の範囲】
【請求項１】
グリル庫内に、グリル皿を支持する皿受け枠がグリル庫の前方に引き出し自在に収納され、皿受け枠にグリル庫の前面開口を閉じるグリル扉が連結されたグリルであって、皿受け枠を前後方向に移動自在に支持するガイドレールを備えるものにおいて、
グリル庫への皿受け枠の収納途中から皿受け枠を後方に引込む引込み機構を備え、
引込み機構は、グリル庫の底部に前後方向に揺動自在に配置した揺動アームと、揺動アームの可動端に立設した、グリル皿の後側に位置する皿受け枠の後枠部に係合可能な係合子と、揺動アームが前方の揺動端位置と後方の揺動位置との間の所定の死点位置より前方に揺動したときに揺動アームを前方の揺動端位置に付勢すると共に、揺動アームが死点位置より後方に揺動したときに揺動アームを後方の揺動端位置に付勢するばねとを備え、
後方の揺動端位置は、後方の揺動端位置における係合子の位置が前方の揺動端位置における係合子の位置に対し横方向にオフセットするように設定され、
皿受け枠の後枠部に、前方の揺動端位置における係合子の横方向位置に合致させて、係合子が通過可能な切欠きが設けられると共に、切欠きの前方に位置させて、前方の揺動端位置に存する揺動アームを係合子を介して死点位置まで押動可能な押し部が設けられていることを特徴とするグリル。
【発明の詳細な説明】
【技術分野】
【０００１】
本発明は、グリル庫内に、グリル皿を支持する皿受け枠がグリル庫の前方に引き出し自在に収納され、皿受け枠にグリル庫の前面開口を閉じるグリル扉が連結されたグリルに関する。
【背景技術】
【０００２】
従来、この種のグリルにおいては、一般的に、皿受け枠をグリル庫の側壁下部に摺動自在に係合させ、皿受け枠に連結したグリル扉を手前に引くことで皿受け枠がこれに支持されるグリル皿と共にグリル庫の前方に引き出されるようにしている。然し、このものでは、皿受け枠をグリル庫に出し入れする際、皿受け枠がグリル庫側壁を擦って、ガタツキ音が発生し易く商品性を損なう。
【０００３】
そこで、皿受け枠を前後方向に移動自在に支持するガイドレールを設け、皿受け枠がグリル庫側壁を擦ることなくグリル庫に出し入れされるようにして、ガタツキ音の発生を防止したグリルも知られている(例えば、特許文献１参照)。
【０００４】
ところで、グリルの商品性を更に向上させには、グリル庫への皿受け枠の収納途中から皿受け枠を後方に引込む引込み機構を設けることが望まれる。これによれば、皿受け枠を収納終端位置まで押し込まなくても、引込み機構により皿受け枠が自動的にスムーズにグリル庫に収納されるようになり、操作感が良好になる。
【０００５】
ここで、引込み機構は高級家具の抽斗等で用いられているが、このような引込み機構は構造が複雑で耐熱性に乏しく、グリル庫に設置することはできない。
【特許文献１】特開２００４−２６１２８０号公報
【発明の開示】
【発明が解決しようとする課題】
【０００６】
本発明は、以上の点に鑑み、引込み機構を構造簡単で耐熱性に優れたものとし、この引込み機構をグリル庫に設置することで商品性を向上させたグリルを提供することをその課題としている。
【課題を解決するための手段】
【０００７】
上記課題を解決するために、本発明は、グリル庫内に、グリル皿を支持する皿受け枠がグリル庫の前方に引き出し自在に収納され、皿受け枠にグリル庫の前面開口を閉じるグリル扉が連結されたグリルであって、皿受け枠を前後方向に移動自在に支持するガイドレールを備えるものにおいて、グリル庫への皿受け枠の収納途中から皿受け枠を後方に引込む引込み機構を備え、引込み機構は、グリル庫の底部に前後方向に揺動自在に配置した揺動アームと、揺動アームの可動端に立設した、グリル皿の後側に位置する皿受け枠の後枠部に係合可能な係合子と、揺動アームが前方の揺動端位置と後方の揺動端位置との間の所定の死点位置より前方に揺動したときに揺動アームを前方の揺動端位置に付勢すると共に、揺動アームが死点位置より後方に揺動したときに揺動アームを後方の揺動端位置に付勢するばねとを備え、後方の揺動端位置は、後方の揺動端位置における係合子の位置が前方の揺動端位置における係合子の位置に対し横方向にオフセットするように設定され、皿受け枠の後枠部に、前方の揺動端位置における係合子の横方向位置に合致させて、係合子が通過可能な切欠きが設けられると共に、切欠きの前方に位置させて、前方の揺動端位置に存する揺動アームを係合子を介して死点位置まで押動可能な押し部が設けられていることを特徴とする。
【０００８】
揺動アームは皿受け枠をグリル庫の前方に引き出す際に後述する如く前方の揺動ストローク端位置に揺動してこの位置に留まる。そして、皿受け枠をグリル庫に収納する際には、皿受け枠の押し部が係合子に前方から当接して、揺動アームが前方の揺動端位置から死点位置まで押動される。その後、揺動アームはばねの付勢力で後方の揺動端位置まで揺動する。この際、係合子が皿受け枠の後枠部に係合して、ばねの付勢力が係合子を介して後枠部に伝達され、皿受け枠が後方に引込まれる。尚、後方の揺動端位置における係合子の位置は前方の揺動端位置における係合子の位置に対し横方向にオフセットしているため、揺動アームが後方の揺動端位置に達するまで及び達した後も、前方の揺動端位置における係合子の横方向位置に合致する切欠きに係合子が入ることはなく、ばねの付勢力が皿受け枠に継続して作用する。従って、皿受け枠はグリル庫内の収納位置に確実に保持される。
【０００９】
皿受け枠をグリル庫の前方に引き出す際は、後枠部により係合子を介して揺動アームが後方の揺動端位置から死点位置まで押動される。その後、揺動アームはばねの付勢力で前方の揺動端位置まで揺動し、係合子の横方向位置が後枠部の切欠きの横方向位置に合致する。そのため、皿受け枠を後枠部への係合子の干渉を生ずることなく前方に引き出すことができる。
【００１０】
ここで、本発明の引込み機構は、可動端に係合子を立設した揺動アームとばねとで構成される構造簡単な耐熱性に優れたものであり、グリル庫に引込み機構を設置しても耐熱性上の不具合は生じない。そして、皿受け枠をグリル庫への収納途中から引込み機構により自動的にスムーズにグリル庫に収納することができ、操作感が良好になって商品性が向上する。
【発明を実施するための最良の形態】
【００１１】
図１は、システムキッチンのカウンタトップ(図示せず)に組み込むビルトイン式コンロを示している。このコンロは、カウンタトップに開設した開口に落とし込むようにして設置するコンロ本体１と、コンロ本体１の上面を覆うようにしてカウンタトップに載置する天板２とを備えている。コンロ本体１には、前側の左右２個と後側の１個の計３個のコンロバーナ３が配置されると共に、グリル４が内蔵されている。そして、天板２に、これら各コンロバーナ３を臨ませる開口を形成して、各開口を囲うように五徳５を載置すると共に、天板２の後部に、グリル４用の排気口２ａを形成している。尚、各コンロバーナ３には、その内周空間に位置させて、五徳５上の調理容器の底面に当接してその温度を検出する鍋底温度センサ３ａが付設されている。
【００１２】
カウンタトップの下で前方に露出するコンロ本体１の前面部分には、後述するグリル庫４１の前面開口を閉じるグリル扉４２とその左右の前面パネル６，６とが設けられている。各前面パネル６には、コンロバーナ１用とグリル４用の各操作盤７が前面パネル６の前方に出没自在に組み込まれており、操作盤７の収納状態では、操作盤７の前板７ａが前面パネル６とほぼ面一になる。
【００１３】
グリル４は、図２に示す如く、コンロ本体１内に設置されるグリル庫４１を備えている。グリル庫４１には、図３に示す如く、焼き網４３をその前後に垂設した脚片部４３１を介して載置するグリル皿４４と、グリル皿４４を支持する皿受け枠４５とが収納されている。皿受け枠４５にはグリル扉４２が連結されている。そして、グリル扉４２をその前面下部の把手４２１に指を掛けて手前に引くことにより、皿受け枠４５がグリル皿４４と共にグリル庫４１の前方に引き出されるようにしている。
【００１４】
グリル庫４１の天井部には、上火バーナ４６が装着され、更に、上火バーナ４６を覆うようにして遮熱カバー４１１が設けられている。また、グリル庫４１の左右の各側壁に、焼き網４３より下方に位置させて、内方に張り出す張り出し部４１２を形成し、張り出し部４１２に開設した透孔４１３に臨ませて下火バーナ４７を配置している。かくして、焼き網４３上の調理物を上火バーナ４６と下火バーナ４７とで上下から焼成する両面焼きグリルが構成される。尚、図２で４６１，４７１は上火バーナ４６と下火バーナ４７の混合管である。
【００１５】
グリル庫４１の左右の各側壁の外側には、前後方向に長手のガイドレール４８が配置されている。ガイドレール４８は、コンロ本体１の底板部１ａ上に設けたブラケット１ｂに底板部１ａから浮かせた状態で取付けられている。また、皿受け枠４５には、図４に示す如く、グリル庫４１の前面開口を通してグリル庫４１の左右の各側壁の外側に折り返される折返し部４５１１を介して後方にのびる左右各側の外枠部４５１が連結されている。
【００１６】
尚、グリル庫４１の前面開口の左右各側の縁部には、図５に示す如く、皿受け枠４５がグリル庫４１に完全に収納された収納終端位置に存するときに折返し部４５１１を受け入れる窪み部４１４が形成されている。そのため、グリル扉４１を折返し部４５１１に邪魔されずに前面開口の縁部に密着させることができ、前面開口の閉め切り性が確保される。
【００１７】
外枠部４５１には、図３に示す如く、ボール４８２を介してガイドレール４８に移動自在に係合するスライダ４８１が固定されている。かくして、皿受け枠４５は、外枠部４５１を介してガイドレール４８に前後方向に移動自在に支持される。従って、皿受け枠４５がグリル庫４１の庫壁を擦ることなくガイドレール４８に案内されてスムーズにグリル庫４１に出し入れされるようになり、ガタツキ音の発生が防止される。
【００１８】
また、ガイドレール４８がグリル庫４１の外側に配置されるため、グリル庫４１内の熱、油煙、焼き汁等がガイドレール４８に及ばなくなる。その結果、ガイドレール４８やスライダ４８１が熱変形したり、ガイドレール４８、スライダ４８１及びボール４８２に油分等の汚れが付着したりせず、皿受け枠４５の動きのスムーズさを長期に亘って維持できるようになる。尚、外枠部４５１がガイドレール４８の前方に抜け出てしまうことを防止するため、外枠部４５１の前方への移動は図示省略したストッパにより所定の前進端位置で規制される。
【００１９】
皿受け枠４５は、図４、図６、図７に示す如く、外枠部４５１を介してガイドレール４８に支持される本体枠４５２と、本体枠４５２に対し所定の後退位置と前進位置との間で前後方向に相対移動自在な可動枠４５３とで構成され、可動枠４５３の前端にグリル扉４２が連結されている。
【００２０】
本体枠４５２は、左右一対の側枠部４５２１，４５２１を有しており、各側枠部４５２１に一体的に各外枠部４５１が連結されている。各側枠部４５２１の後部上縁には、グリル皿４４の上端のフランジ４４１の上面に対向するように内方に折り曲げられた折曲げ部４５２２が形成されている。この折曲げ部４５２２の前端には前上がりに傾斜するガイド部４５２３が設けられている。また、本体枠４５２には、折曲げ部４５２２より前方位置で両側枠部４５２１，４５２１の下縁から内方に張り出す下枠部４５２４が設けられている。下枠部４５２４は両側枠部４５２１，４５２１を結ぶように横方向に長手に形成されている。そして、下枠部４５２４の横方向中央部から前方にのびてグリル皿４４の底面に接する支承部４５２５を設け、グリル皿４４が折曲げ部４５２２より前方位置で支承部４５２５により下方から支承されるようにしている。
【００２１】
可動枠４５３は、本体枠４５２の両側枠部４５２１，４５２１の内側に位置する左右一対の側枠部４５３１，４５３１と、両側枠部４５３１，４５３１の後端間の後枠部４５３２と、両側枠部４５３１，４５３１の前端間の板状の前枠部４５３３とで構成されており、前枠部４５３３にグリル扉４２が連結されている。可動枠４５３の各側枠部４５３１の下縁は本体枠４５２の下枠部４５２４に摺接する。そのため、可動枠４５３が本体枠４５２に対し前進位置より後方に位置する状態では、図９（ａ）に示す如く、下枠部４５２４により可動枠４５３が水平姿勢に支持される。そして、可動枠４５３の両側枠部４５３１，４５３１の上縁にグリル皿４４がフランジ４４１において着座し、グリル皿４４が水平姿勢に支持されるようにしている。
【００２２】
また、可動枠４５３の各側枠部４５３１と後枠部４５３２の上縁には、グリル皿４４のフランジ４４１に形成したスリットに係合してグリル皿４４を位置決めする爪部４５３４が突設されている。そのため、可動枠４５３に対するグリル皿４４のずれが防止され、本体枠４５２に対する可動枠４５３の前後動によりグリル皿４４が本体枠４５２に対し前後動する。
【００２３】
可動枠４５３の各側枠部４５３１の下縁には、可動枠４５３が前進位置に存するときに本体枠４５２の下枠部４５２４に合致する部分に位置させて、凹欠部４５３５が形成されている。そのため、可動枠４５３が前進位置に移動すると、図９（ｂ）に示す如く、下枠部４５２４が凹欠部４５３５に入り込んで、可動枠４５３が前下がりに傾動自在になる。尚、可動枠４５３が前下がりに傾動しても、グリル皿４４が本体枠４５２の支承部４５２５で下方から支承されると共に、支承部４５２５を支点にしたグリル皿４４の前下がり（後上がり）の傾動がグリル皿４４のフランジ４４１の上面に本体枠４５２の折曲げ部４５２２が当接することで阻止されるため、グリル皿４４は水平姿勢に支持される。
【００２４】
凹欠部４５３５の後縁の下端部には、可動枠４５３が水平姿勢で前進位置に移動したときに本体枠４５２の下枠部４５２４の後縁に当接するストッパ部４５３６が設けられている。かくして、可動枠４５３の本体枠４５２に対する前方への移動は、本体枠４５２の下枠部４５２４への可動枠４５３のストッパ部４５３６の当接により前進位置で制止される。また、凹欠部４５３５の前縁は、可動枠４５３を本体枠４５２に対し前進位置から後方に移動させる際に可動枠４５３がスムーズに水平姿勢に復帰するように、後上がりに傾斜している。
【００２５】
また、本体枠４５２の折曲げ部４５２２には、図８に示す如く、グリル皿４４のフランジ４４１の上面に形成した溝４４２に、可動枠４５３が後退位置に存する状態で弾力的に係合するばね板製の係合片４５２６が取付けられている。
【００２６】
以上の構成によれば、グリル庫４１に皿受け枠４５が収納された状態からグリル扉４２を手前に引くと、牽引力が可動枠４５３からグリル皿４４と係合片４５２６とを介して本体枠４５２に伝達され、先ず、外枠部４５１の移動が規制される所定の前進端位置まで本体枠４５２が移動して、図９（ａ）に示す状態になる。その後、係合片４５２６が溝４４２から外れて、可動枠４５３が本体枠４５２に対し後退位置から前方に移動する。そして、本体枠４５２の下枠部４５２４への可動枠４５３のストッパ部４５３６の当接により可動枠４５３の前方への移動が前進位置で制止されたところで、グリル扉４２から手を離すと、図９（ｂ）に示す如く、可動枠４５３が前下がりに傾動してグリル扉４２が下方に変位する。そのため、グリル皿４２上の焼き網４３に調理物を載せたり取り出す際にグリル扉４２が邪魔にならず、使い勝手が良好になる。
【００２７】
また、前進位置でグリル扉４２を若干持ち上げて可動枠４５３を前上がりに傾斜させると、可動枠４５３のストッパ部４５３６が本体枠４５２の下枠部４５２４の上方に離脱して、可動枠４５３を前進位置から更に前方に引き出すことができる。そして、可動枠４５３を前進位置より前方に引き出すと、グリル皿４４のフランジ４４１が本体枠４５２の折曲げ部４５２２の下から前方に抜け出るため、グリル扉４２を可動枠４５３及びグリル皿４４と共に本体枠４５２から取外すことができる。かくして、グリル扉４２を丸洗いすることができると共に、グリル皿４４をこれに直に手を触れずに取外して丸洗いすることができ、清掃が容易になる。
【００２８】
また、取外した可動枠４５３はこれにグリル皿４４を支持させた状態で前方から本体枠４５２にセットすることができる。即ち、可動枠４５３のストッパ部４５３６が本体枠４５２の下枠部４５２４を乗り越えるように可動枠４５３を前上がりの傾斜姿勢で本体枠４５２に対し後方に移動させ、グリル皿４４のフランジ４４１を本体枠４５２の折曲げ部４５２２の下に潜らせることで、可動枠４５３を本体枠４５２にセットできる。そして、折曲げ部４５２２の前端に前上がりに傾斜したガイド部４５２３が設けられているため、グリル皿４４のフランジ４４１はガイド部４５２３に案内されて折曲げ部４５２２の下に潜り込むようになり、可動枠４５３のセット作業が容易になる。
【００２９】
ここで、可動枠４５３を取外して、グリル扉４２やグリル皿４４の丸洗い等の作業を行う場合、本体枠４５２がグリル庫４１の前方に突出したままでは人の動きの邪魔になるため、本体枠４５２をグリル庫４１に押し込むことが間々ある。可動枠４５３を本体枠４５２に上方からしかセットできないと、作業終了後に、本体枠４５２をグリル庫４１から再度引き出して可動枠４５３をセットせざるを得なくなる。これに対し、本実施形態のように可動枠４５３を前方から本体枠４５２にセット可能であれば、本体枠４５２をグリル庫４１から引き出さなくても可動枠４５３をセットすることができ、使い勝手が良好になる。
【００３０】
また、本実施形態では、グリル庫４１への皿受け枠４５の収納途中から皿受け枠４５を後方に引込む引込み機構４９を設けている。以下、図４、図１０を参照して、引込み機構４９について説明する。
【００３１】
引込み機構４９は、グリル庫４１の底部の後側の部分に配置した前後方向に揺動自在な揺動アーム４９１と、揺動アーム４９１の可動端に立設したピン状の係合子４９２と、揺動アーム４９１の軸４９３から離隔した位置に設けたピン４９４と係合子４９２の基端部との間に張設した引張りコイルスプリングから成るばね４９５と、揺動アーム４９１及びばね４９５を上方から覆うカバー４９６とを備えている。カバー４９６には、係合子４９２を挿通する前後方向に長手の円弧状のガイド孔４９７が形成されている。そして、揺動アーム４９１がガイド孔４９７の前端への係合子４９２の当接で規制される前方の揺動端位置（図１０（ａ）に示す位置）と、ガイド孔４９７の後端への係合子４９２の当接で規制される後方の揺動端位置（図１０（ｃ）に示す位置）との間で揺動するようにしている。ここで、後方の揺動端位置は、後方の揺動端位置における係合子４９２の位置が前方の揺動端位置における係合子４９２の位置に対し横方向にオフセットするように設定されている。
【００３２】
ばね４９５の一端を引掛けるピン４９４の位置は、当該ピン４９４と揺動アーム４９１の軸４９３とを結ぶ線が揺動アーム４９１を前方の揺動端位置より若干後方の死点位置（図１０（ｂ）に示す位置）に揺動変位させたときの係合子４９２と軸４９３とを結ぶ線に一致するように設定されている。そのため、揺動アーム４９１は、死点位置より少しでも前方に揺動したときばね４９５で前方の揺動端位置に揺動付勢され、また、死点位置より少しでも後方に揺動したときばね４９５で後方の揺動端位置に揺動付勢される。尚、軸４９３及びピン４９４はカバー４９６に固定されている。
【００３３】
係合子４９２は、グリル皿４４の後側に位置する皿受け枠４５の部分、即ち、可動枠４５３の後枠部４５３２に係合可能である。この後枠部４５３２には、前方の揺動端位置における係合子４９２の横方向位置に合致させて、係合子４９２が通過可能な切欠き４５３７が設けられている。後枠部４５３２には、更に、切欠き４５３７の前方に位置させて、前方の揺動端位置に存する揺動アーム４９１を係合子４９２を介して死点位置まで押動可能な押し部４５３８が設けられている。
【００３４】
皿受け枠４５をグリル庫４１に収納する際は、図１０（ａ）に示す如く、前方の揺動端位置に存する揺動アーム４９１の係合子４９２に押し部４５３８が前方から当接する。そして、図１０（ｂ）に示す如く、揺動アーム４９１が押し部４５３８により前方の揺動端位置から死点位置まで押動される。その後、揺動アーム４９１は、図１０（ｃ）に示す如く、ばね４９５の付勢力で後方の揺動端位置まで揺動する。この際、係合子４９２が後枠部４５３２に係合して、ばね４９５の付勢力が係合子４９２を介して後枠部４５３２に伝達され、皿受け枠４５が後方に引込まれる。尚、後方の揺動端位置における係合子４９２の位置は前方の揺動端位置における係合子４９２の位置に対し横方向にオフセットしているため、揺動アーム４９１が後方の揺動端位置に達するまで及び達した後も、前方の揺動端位置における係合子４９２の横方向位置に合致する切欠き４５３７に係合子４９２が入ることはない。従って、ばね４９５の付勢力が皿受け枠４５に継続して作用することになり、皿受け枠４５はグリル庫４１内の収納位置に確実に保持される。
【００３５】
皿受け枠４５をグリル庫４１の前方に引き出す際は、後枠部４５３２により係合子４９２を介して揺動アーム４９１が後方の揺動端位置から死点位置まで押動される。その後、揺動アーム４９１はばね４９５の付勢力で前方の揺動端位置まで揺動し、係合子４９２の横方向位置が後枠部４５３２の切欠き４５３７の横方向位置に合致する。そのため、皿受け枠４５を後枠部４５３２への係合子４９２の干渉を生ずることなく前方に引き出すことができる。
【００３６】
ここで、本実施形態の引込み機構４９は、可動端に係合子４９２を立設した揺動アーム４９１とばね４９５とで構成される構造簡単な耐熱性に優れたものであり、グリル庫４１に引込み機構４９を設置しても耐熱性上の不具合は生じない。そして、皿受け枠４５をグリル庫４１への収納途中から引込み機構４９により自動的にスムーズにグリル庫４１に収納することができる。そのため、操作感が良好になって商品性が向上する。
【００３７】
以上、本発明の実施形態について図面を参照して説明したが、本発明はこれに限定されない。例えば、上記実施形態では、ガイドレール４８をグリル庫４１の外側に配置したが、グリル庫４１内に配置したガイドレールに皿受け枠４５を支持させても良い。
【００３８】
また、上記実施形態では、皿受け枠４５を本体枠４５２と可動枠４５３とで構成したが、可動枠４５３を省略して、本体枠４５２の前端にグリル扉４２を連結しても良い。この場合、本体枠４５２にグリル皿４４の後側に位置する後枠部を設け、この後枠部に上記実施形態の切欠き４５３７及び押し部４５３８と同様のものを形成する。
【００３９】
また、上記実施形態は、ドロップイン式コンロに組み込むグリルに本発明を適用したものであるが、卓上式コンロに組み込むグリル、更にはコンロに組み込まずに独立して設けられるグリルにも同様に本発明を適用できる。
【図面の簡単な説明】
【００４０】
【図１】本発明の実施形態のグリルを具備するコンロの斜視図。
【図２】コンロ本体の一部を切除して見た実施形態のグリルの斜視図。
【図３】実施形態のグリルの切断正面図。
【図４】図３のＩＶ−ＩＶ線で切断したグリル皿を取外した状態の切断平面図。
【図５】実施形態のグリルのグリル扉を省略した前面側部の斜視図。
【図６】実施形態のグリルのグリル皿及び皿受け枠を示す斜視図
【図７】実施形態のグリルの皿受け枠の構造をグリル皿を取外した状態で示す斜視図。
【図８】図６のＶＩＩＩ−ＶＩＩＩ線で切断した拡大切断側面図。
【図９】実施形態のグリルの皿受け枠の動きを示す切断側面図。
【図１０】実施形態のグリルの引込み機構の作用を示す斜視図。
【符号の説明】
【００４１】
４…グリル、４１…グリル庫、４２…グリル扉、４４…グリル皿、４５…皿受け枠、４５３２…後枠部、４５３７…切欠き、４５３８…押し部、４８…ガイドレール、４９…引込み機構、４９１…揺動アーム、４９２…係合子、４９５…ばね。
【図１】
2008092975.tif 000003
【図２】
2008092975.tif 000004
【図３】
2008092975.tif 000005
【図４】
2008092975.tif 000006
【図５】
2008092975.tif 000007
【図６】
2008092975.tif 000008
【図７】
2008092975.tif 000009
【図８】
2008092975.tif 000010
【図９】
2008092975.tif 000011
【図１０】
2008092975.tif 000012